(57)【特許請求の範囲】
【請求項１】
壁面または天井面に設置された冷暖房装置を保護する防護ネットであって、
前記冷暖房装置の周囲に配置され、前記冷暖房装置が設置された壁面または天井面に取り付けられたベースフレームと、
前記ベースフレームの一辺に対して、回動可能に設けられた柵フレームと、
前記柵フレームに取り付けられ、前記冷暖房装置の前面及び側面を覆い、その内部に前記冷暖房装置を収容するネット部と、
前記ベースフレーム及び柵フレームの一辺において、ベースフレーム及び柵フレームを跨ぐように設けられた、ベースフレームに対して、前記柵フレームを回動可能とする蝶番と、
前記ベースフレームと前記柵フレームとを結合するために、前記ベースフレーム及び柵フレームの前記蝶番が設けられていない辺において、前記ベースフレームと前記柵フレームと跨ぐように設けられた締結部材と、
を備え、
前記柵フレームが、前記締結部材により前記ベースフレームに結合された状態では、前記冷暖房装置はネット部内に収容され、冷暖房装置の前面及び側面が覆われ、
前記締結部材による前記柵フレームとベースフレームの結合が解かれ、前記柵フレームが前記ベースフレームの一辺に対して回動した状態では、ネット部による冷暖房装置の前面及び側面を覆う状態が解かれ、冷暖房装置の前面及び側面が露出することを特徴とする防護ネット。
【請求項２】
前記蝶番は、
回転軸上の一方向に突出するピンを有するピン側部材と、
前記ピンが挿入可能な筒部を有する筒側部材とを有し、
前記ベースフレーム及び柵フレームの一長辺側に設けられる複数の蝶番において、一の蝶番における前記ピン側部材のピンと、他の蝶番における前記ピン側部材のピンとが、互いに対向する方向に突出していることを特徴とする請求項１に記載された防護ネット。
【請求項３】
前記ベースフレームと前記柵フレームとの間には、
前記柵フレーム及び前記ネット部の荷重を受けるためのダンパ部材が設けられていることを特徴とする請求項１または請求項２に記載された防護ネット。
【発明の詳細な説明】
【技術分野】
【０００１】
この発明は、防護ネットに関し、例えば学校の体育館等において、壁面或いは天井面に取り付けられた冷暖房装置を保護するために該冷暖房装置を覆う防護ネットに関する。
【背景技術】
【０００２】
学校の体育館などには、例えば壁面や天井面に冷暖房装置が取り付けられている。体育館は、一般住宅などの部屋よりも室内空間が広いため、大型の冷暖房装置が設置されている。また、体育館では、例えばバレーボルやバスケットボールなどの球技を行うことが多く、それら球技で使用するボールが冷暖房装置に当たると、装置の破損、故障の原因となる。そのため、従来から前記冷暖房装置を保護するために、特許文献１に記載されているように冷暖房装置の前面を覆う防護ネット（特許文献１では防球柵と呼ぶ）が装着されていることが多い。
【先行技術文献】
【特許文献】
【０００３】
【特許文献１】特開２０１５−１４８３５７公報
【発明の概要】
【発明が解決しようとする課題】
【０００４】
ところで体育館等において冷暖房装置を保護する前記防護ネットにあっては、冷暖房装置のメンテナンスが定期的に必要であるため、開閉または着脱が容易にできることが望ましい。
【０００５】
しかしながら、前記防護ネットにあっては、冷暖房装置が大型であるため、防護ネット自体のサイズが大きく、更に頑丈な金属で形成されることが多いため、その重量が重い。そのため、開閉や着脱が容易にできないという課題があった。
また、開閉や着脱が容易な構造の場合であったとしても、球技のボールが防護カバーに強く当たると、防護カバーが外れて落下する虞があり、危険であるという課題があった。
【０００６】
本発明は、前記したような事情の下になされたものであり、冷暖房装置を保護するための防護ネットにおいて、容易に開閉及び着脱でき、且つ強い衝撃が加わっても落下することのない防護ネットを提供することを目的とする。
【課題を解決するための手段】
【０００７】
前記課題を解決するためになされた、本発明に係る防護ネットは、壁面または天井面に設置された冷暖房装置を保護する防護ネットであって、前記冷暖房装置の周囲に配置され、前記冷暖房装置が設置された壁面または天井面に取り付けられたベースフレームと、前記ベースフレームの一辺に対して、回動可能に設けられた柵フレームと、前記柵フレームに取り付けられ、前記冷暖房装置の前面及び側面を覆い、その内部に前記冷暖房装置を収容するネット部と、前記ベースフレーム及び柵フレームの一辺において、ベースフレーム及び柵フレームを跨ぐように設けられた、ベースフレームに対して、前記柵フレームを回動可能とする蝶番と、前記ベースフレームと前記柵フレームとを結合するために、前記ベースフレーム及び柵フレームの前記蝶番が設けられていない辺において、前記ベースフレームと前記柵フレームと跨ぐように設けられた締結部材と、を備え、前記柵フレームが、前記締結部材により前記ベースフレームに結合された状態では、前記冷暖房装置はネット部内に収容され、冷暖房装置の前面及び側面が覆われ、前記締結部材による前記柵フレームとベースフレームの結合が解かれ、前記柵フレームが前記ベースフレームの一辺に対して回動した状態では、ネット部による冷暖房装置の前面及び側面を覆う状態が解かれ、冷暖房装置の前面及び側面が露出することに特徴を有する。
尚、前記蝶番は、回転軸上の一方向に突出するピンを有するピン側部材と、前記ピンが挿入可能な筒部を有する筒側部材とを有し、前記ベースフレーム及び柵フレームの一長辺側に設けられる複数の蝶番において、一の蝶番における前記ピン側部材のピンと、他の蝶番における前記ピン側部材のピンとが、互いに対向する方向に突出していることが望ましい。
また、前記ベースフレームと前記柵フレームとの間には、前記柵フレーム及び前記ネット部の荷重を受けるためのダンパ部材が設けられていることが望ましい。
【０００８】
このように構成された防護ネットによれば、柵フレームをベースフレームに結合し、ネット部で冷暖房装置を覆った状態にあっては、ベースフレームと柵フレームとは、三辺が締結部材によって結合され、一辺が複数の蝶番によって連結されているため、強い衝撃を受けても柵フレーム及びネット部の落下を防止することができる。
また、柵フレーム及びネット部をベースフレームに対し開く際には、ベースフレーム及び柵フレームの一長辺側に複数の蝶番が設けられているため、ネット部の大きな荷重を複数の蝶番で効果的に分散し、各蝶番に加わる負荷を軽減することができる。
また、前記複数の蝶番は抜き差し蝶番であり、一端の蝶番におけるピンと、他の蝶番におけるピンとが互いに対向する方向に突出していることにより、前記一端の蝶番のピンのみを取り外すことで、ベースフレームに対し柵フレーム及びネット部を容易に取り外すことができ、ネット部のメンテナンスを容易に行うことができる。
【発明の効果】
【０００９】
本発明によれば、冷暖房装置を保護するための防護ネットにおいて、容易に開閉及び着脱でき、且つ強い衝撃が加わっても落下することのない防護ネットを提供することができる。
【図面の簡単な説明】
【００１０】
【図１】図１は、本発明に係る防護ネットの第一の実施形態を示す正面図である。
【図２】図２は、図１の防護ネットの下面図（下から見た図）である。
【図３】図３は、図１の防護ネットの平面図（上から見た図）である。
【図４】図４（ａ）は、図１の防護ネットの側面図であり、図４（ｂ）は、防護ネットを開いた状態の側面図である。
【図５】図５（ａ）、（ｂ）は、図１の防護ネットが備える蝶番を分解した状態の平面図であり、図５（ｃ）は、蝶番を組み付けた状態の平面図である。
【図６】図６は、図１の防護ネットが備える複数の蝶番の配置例を示す平面図である。
【図７】図７は、図１の防護ネットが備えるキャッチクリップの平面図である。
【図８】図８は、本発明に係る防護ネットの第二の実施形態を示す下面図（下から見た図）である。
【図９】図９は、図８の防護ネットの後面図である。
【図１０】図１０は、図８の防護ネットを開いた状態の側面図である。
【図１１】図１１（ａ）、（ｂ）は、本発明の防護ネットの変形例を示す側面図である。
【発明を実施するための形態】
【００１１】
以下、本発明に係る防護ネットの実施形態を、図面を参照しながら説明する。図１は、本発明に係る防護ネットの第一の実施形態を示す正面図である。図２は、図１の防護ネットの下面図（下から見た図）であり、図３は、図１の防護ネットの平面図（上から見た図）である。また、図４（ａ）は、図１の防護ネットの側面図であり、図４（ｂ）は、防護ネットを開いた状態の側面図である。
【００１２】
本第一の実施形態にあっては、例えば体育館の壁面に設けられた冷暖房装置５０を保護するための防護ネット１００の一形態である。防護ネット１００は、冷暖房装置５０を覆うように壁面６０上に装着される。
図示するように防護ネット１００は、冷暖房装置５０の周囲に配置され、壁面６０に対し固定される矩形輪状のベースフレーム１と、前記ベースフレーム１の形状に合わせて矩形輪状に形成され、該ベースフレーム１に対し回動可能に設けられた柵フレーム２と、前記柵フレーム２の前側に固定され、前記冷暖房装置５０を覆うネット部３とを備える。ネット部３は、例えばアルミニウム合金により網状に形成されている。
【００１３】
また、防護ネット１００は、図２に示すように前記柵フレーム２を前記ベースフレーム１に対し回動可能とするための複数の蝶番１０と、柵フレーム２を閉じた状態でベースフレーム１に対し柵フレーム２を固定するための複数のキャッチクリップ６（締結部材）とを備える。
【００１４】
図示する例では、図２に示すように３つの蝶番１０が取り付けられる。これらの蝶番１０は、ベースフレーム１と柵フレーム２の下面側において、それらの繋ぎ目を跨いで配置される。具体的には、防護ネット１００の長辺側（ベースフレーム１及び柵フレーム２の長辺側）に所定間隔を空けて配置されている。
これにより柵フレーム２及びネット部３は、前記蝶番１０を軸として回動可能とされ、冷暖房装置５０を覆う状態（図４（ａ）の状態）と、ネット部３を下方に回動させて冷暖房装置５０の保護を解除した状態（図４（ｂ）の状態）とのいずれかにすることができる。
【００１５】
また、前記蝶番１０は、図５（ａ）、（ｂ）に示すようにピン側部材１１と筒側部材１２とからなる抜き差し蝶番である。ピン側部材１１は、ビスなどの取り付け穴が設けられた取り付け板１１ａと、枢軸部１１ｂと、前記枢軸部１１ｂから軸上に突出するピン１１ｃとからなる。一方、筒側部材１２は、ビスなどの取り付け穴が設けられた取り付け板１２ａと、前記ピン１１ｃが挿入可能な枢軸筒部１２ｂ（筒部）とからなる。これらピン側部材１１と筒側部材１２とを組み付けると、図５（ｃ）のようになる（図５（ａ）の場合の図）。
【００１６】
図５（ａ）と図５（ｂ）とは、枢軸部１１ｂからのピン１１ｃの突出方向が異なるものであり、それぞれを図６に示すように左右端に配置することにより、柵フレーム２及びネット部３の抜け落ちを防止することができる。
また、例えば図５（ａ）の構成を左用とし、図５（ｂ）の構成を右用とすると、図６に示すように向かって左端に左用を配置し、その他に全て右用を配置すればよく、ネット部３の清掃時などは、左用のピン１１ｃを固定する取り付け板１１ａのみを取り外すことにより、柵フレーム２及びネット部３を横にスライドさせて容易に外すことができる。
【００１７】
また、前記ベースフレーム１及び柵フレーム２において、前記蝶番３が取り付けられていない三辺には、ベースフレーム１と柵フレーム２とを跨ぐように、それぞれキャッチクリップ６が設けられている。キャッチクリップ６は、周知の構成であり、図７に示すようにベースフレーム１にビス固定される爪部７と、柵フレーム２側に回動可能に固定され、前記爪部７に対し先端部８ａが係止可能なクリップ部８とからなる。クリップ部８の先端部８ａは、バネ８ｂを介して前記爪部７に対し係止可能に設けられており、係止状態にあっては、バネ８ｂの付勢力によってベースフレーム１と柵フレーム２とを強固に結合するようになっている。
【００１８】
このように構成された防護ネット１００によれば、図４（ａ）に示すように柵フレーム２をベースフレーム１に結合し、ネット部３で冷暖房装置５０を覆った状態にあっては、ベースフレーム１と柵フレーム２とは、三辺がキャッチクリップ５によって結合され、一辺が複数の蝶番３によって連結されているため、強い衝撃を受けても柵フレーム２及びネット部３の落下を防止することができる。
【００１９】
また、図４（ｂ）に示すように柵フレーム２及びネット部３をベースフレーム１に対し開く際には、ベースフレーム１及び柵フレーム２の一長辺側に複数の蝶番３が設けられているため、ネット部３の大きな荷重を複数の蝶番３で効果的に分散し、各蝶番３に加わる負荷を軽減することができる。
【００２０】
また、前記複数の蝶番３は抜き差し蝶番であり、一端の蝶番３におけるピン１１ｃと、他の蝶番３におけるピン１１ｃとが互いに対向する方向に突出しているため、前記一端の蝶番３のピン１１ｃのみを取り外すことで、ベースフレーム１に対し柵フレーム２及びネット部３を容易に取り外すことができ、ネット部３のメンテナンスを容易に行うことができる。
【００２１】
続いて、本発明に係る防護ネットの第二の実施形態について説明する。この第二の実施形態にあっては、冷暖房装置５０が天井面に取り付けられた場合の一形態を示すものである。図８は、本発明に係る防護ネットの第二の実施形態を示す下面図（下から見た図）である。また、図９は、図８の防護ネットの後面図であり、図１０は、図８の防護ネットを開いた状態の側面図である。
尚、この第二の実施形態において、既に説明した第一の実施形態と共通の部分については同じ符号で示し、詳細な説明は省略する。
【００２２】
図８乃至図１０に示すように天井面７０に対し冷暖房装置５０の周囲に略矩形状のベースフレーム１が固定される。
図９に示すようにベースフレーム１及び柵フレーム２の一長辺側に該ベースフレーム１及び柵フレーム２を跨ぐように複数の蝶番１０（図では４つ）が取り付けられている。これにより図１０に示すように柵フレーム２及びネット部３は、蝶番１０を軸に下方に回動し、ベースフレーム１に対し開閉可能となされている。
【００２３】
また、ベースフレーム１及び柵フレーム２において前記蝶番１０が設けられた一辺の他の三辺には、１つ又は複数のキャッチクリップ６が設けられ、ベースフレーム１に対し柵フレーム２を強固に結合することが可能となされている。
【００２４】
このように本発明に係る第二の実施形態にあっては、天井７０に防護ネット１００を取り付ける場合に、防護ネット１００を壁に取り付ける場合よりも柵フレーム２及びネット部３の荷重が蝶番１０に対し加わるために、蝶番１０の数、及びキャッチクリップ６の数を多く設けることによって、強固なものとすることができ、第一の実施形態と同様の効果を得ることができる。
【００２５】
尚、前記第一及び第二の実施形態にあっては、ベースフレーム１に対し柵フレーム２及びネット部３を蝶番１０のみで開閉可能とする構成としたが、本発明にあっては、その形態に限定されるものではない。
例えば、図１１（ａ）、（ｂ）に示すようにベースフレーム１と柵フレーム２との間にダンパ部材２０を設け、柵フレーム２及びネット部３の荷重をダンパ部材２０で受ける構成としてもよい。
【００２６】
また、前記第一及び第二の実施形態にあっては、締結部材としてキャッチクリップを用いたが、本発明にあってはキャッチクリップに限定されず、その他の構造の締結部材であってもよい。
また、前記第一及び第二の実施の形態にあっては、一つの冷暖房装置５０を覆う形態を例に説明したが、本発明にあっては、その形態に限定されず、複数配列された冷暖房装置５０を一つのネット部３で覆う防護ネット１００としても適用することができる。
【符号の説明】
【００２７】
１        ベースフレーム
２        柵フレーム
３        ネット部
６        キャッチクリップ（締結部材）
１０      蝶番
１１ｃ    ピン
１２ｂ    枢軸筒部（筒部）
２０      ダンパ部材
１００    防護ネット
【要約】
【課題】冷暖房装置を保護するための防護ネットにおいて、容易に開閉及び着脱でき、且つ強い衝撃が加わっても落下することのない防護ネットを提供する。
【解決手段】冷暖房装置５０の周囲に配置され、壁面または天井面に対し固定される矩形輪状のベースフレーム１と、ベースフレームの形状に合わせて矩形輪状に形成され、ベースフレームに対し回動可能に設けられた柵フレーム２と、柵フレームの前側に固定され、冷暖房装置を覆うことが可能なネット部３と、柵フレームを回動可能とするために、ベースフレーム及び柵フレームの一長辺側において、該ベースフレーム及び柵フレームを跨ぐように設けられた複数の蝶番１０と、ベースフレームと前記柵フレームとを結合するために、ベースフレーム及び柵フレームの前記蝶番が設けられない三辺において、ベースフレームと柵フレームと跨ぐように設けられた締結部材６とを備える。
【選択図】図１【図１】
0006976002.tif 000002
【図２】
0006976002.tif 000003
【図３】
0006976002.tif 000004
【図４】
0006976002.tif 000005
【図５】
0006976002.tif 000006
【図６】
0006976002.tif 000007
【図７】
0006976002.tif 000008
【図８】
0006976002.tif 000009
【図９】
0006976002.tif 000010
【図１０】
0006976002.tif 000011
【図１１】
0006976002.tif 000012